(57)【要約】【課題】  ユーザが目的地を設定する際に目的地だけではなく目的地到着後に目的地周辺へ出かける場合の天候情報がわからず不便であった。また、必ず目的地を設定するわけではなく現在走行している地点や周辺地点、またはユーザが任意に指定した地点やその周辺地点の天気の移り変わりを知ることができなかった。【解決手段】  現在位置を地図上に表示する地図表示手段と、現在位置から目的地までの経路を算出して目的地設定を行う目的地設定手段と、複数の地点の天候情報を取得する天候情報取得手段と、ユーザが設定する前記目的地を含む地図を表示し、前記現在地から目的地までの走行ルートに関係なく、前記目的地の到着時刻に応じた前記目的地及び該目的地を含む画面に表示されている地図内に存在し、前記天候情報が取得されている地点の天候情報を表示する天候情報表示制御手段とを有することを特徴とするナビゲーション装置。【選択図】図５
2010230638.tif 000002
【特許請求の範囲】
【請求項１】
現在位置を地図上に表示する地図表示手段と、
現在位置から目的地までの経路を算出して目的地設定を行う目的地設定手段と、
複数の地点の天候情報を取得する天候情報取得手段と、
ユーザが設定する前記目的地を含む地図を表示し、前記現在地から目的地までの走行ルートに関係なく、前記目的地の到着時刻に応じた前記目的地及び該目的地を含む画面に表示されている地図内に存在し、前記天候情報が取得されている地点の天候情報を表示する天候情報表示制御手段と、
を有することを特徴とするナビゲーション装置。
【請求項２】
現在位置を地図上に表示する地図表示手段と、
複数の地点の天候情報を取得する天候情報取得手段と、
前記現在位置を含む地図を表示し、現在時刻に応じた前記現在位置及び該現在位置を含む画面に表示されている地図内に存在し、前記天候情報が取得されている地点の天候情報を表示する天候情報表示制御手段と、
を有することを特徴とするナビゲーション装置。
【請求項３】
現在位置を地図上に表示する地図表示手段と、
複数の地点の天候情報を取得する天候情報取得手段と、
ユーザが選択する任意の地点を含む地図を表示し、現在時刻に応じた前記任意の地点及び該任意の地点を含む画面に表示されている地図内に存在し、前記天候情報が取得されている地点の天候情報を表示する天候情報表示制御手段と、
を有することを特徴とするナビゲーション装置。
【請求項４】
請求項１において、
前記天候情報表示制御手段は前記到着時刻を基点にそれ以降の時刻の天候情報を表示することを特徴とするナビゲーション装置。
【請求項５】
請求項２乃至３において、
前記天候情報表示制御手段は前記現在時刻を基点にそれ以降の時刻の天候情報を表示することを特徴とするナビゲーション装置。
【請求項６】
現在位置を地図上に表示し、
現在位置から目的地までの経路を算出して目的地設定し、
複数の地点の天候情報を取得し、
ユーザが設定する前記目的地を含む地図を表示し、前記現在地から目的地までの走行ルートに関係なく、前記目的地の到着時刻に応じた前記目的地及び該目的地を含む画面に表示されている地図内に存在し、前記天候情報が取得されている地点の天候情報を表示する、
ことを特徴とするナビゲーション方法  。
【発明の詳細な説明】
【技術分野】
【０００１】
本発明はナビゲーション装置に関するものであり、例えばナビゲーション装置で天候情報を表示するものに関する。
【背景技術】
【０００２】
従来のナビゲーション装置では例えば目的地周辺のグルメ情報や観光情報等の目的地に関する情報を表示するような経路案内以外の様々なサービスが提供されている。また、新たなサービスとして特許文献１及び特許文献２のように天候情報をユーザに提供するサービスが提案されている。特許文献１及び特許文献２では、各地域への到着時刻における気象予測値を取得し、目的地と目的地までの走行ルート上の通過地点に対してそれらの地点における天候情報を表示するようにしている。
【先行技術文献】
【特許文献】
【０００３】
【特許文献１】特開２００６−５０１７３号公報
【特許文献２】特開２０００−２５８１７４号公報
【発明の概要】
【発明が解決しようとする課題】
【０００４】
しかしながら、特許文献１及び特許文献２ではナビゲーション装置に表示される天候情報は目的地への到着時刻の天候情報表示や目的地までの走行ルート上の天候情報のみをユーザに提供するものであるため、目的地までの走行ルート上の天候しか知ることはできない。そのため、ユーザが目的地を設定する際に目的地だけではなく目的地到着後に目的地周辺へ出かける場合の天候情報がわからず不便であった。また、現在走行している地点やその周辺地点、またはユーザが任意に指定した地点やその周辺地点の天気の移り変わりを容易に知ることができず、現在位置や任意の地点を基点としてユーザが行動計画を立てる際に不便であった。本発明は上記の課題を解決するものであり、ユーザに対してよりサービス性の高い有用な情報提供を目的とする。
【課題を解決するための手段】
【０００５】
本発明では、現在位置を地図上に表示する地図表示手段と、現在位置から目的地までの経路を算出して目的地設定を行う目的地設定手段と、複数の地点の天候情報を取得する天候情報取得手段と、ユーザが設定する前記目的地を含む地図を表示し、前記現在地から目的地までの走行ルートに関係なく、前記目的地の到着時刻に応じた前記目的地及び該目的地を含む画面に表示されている地図内に存在し、前記天候情報が取得されている地点の天候情報を表示する天候情報表示制御手段とを有することを特徴とするナビゲーション装置が提供される。これにより、目的地を中心とした周辺地点への事前の行動計画を立てやすくなる。
【０００６】
また、本発明では現在位置を地図上に表示する地図表示手段と、複数の地点の天候情報を取得する天候情報取得手段と、前記現在位置を含む地図を表示し、現在時刻に応じた前記現在位置及び該現在位置を含む画面に表示されている地図内に存在し、前記天候情報が取得されている地点の天候情報を表示する天候情報表示制御手段とを有することを特徴とするナビゲーション装置が提供される。これにより、現在位置を中心とした周辺地点への事前の行動計画を立てやすくなる。
【０００７】
また、本発明では現在位置を地図上に表示する地図表示手段と、複数の地点の天候情報を取得する天候情報取得手段と、ユーザが選択する任意の地点を含む地図を表示し、現在時刻に応じた前記任意の地点及び該任意の地点を含む画面に表示されている地図内に存在し、前記天候情報が取得されている地点の天候情報を表示する天候情報表示制御手段とを有することを特徴とするナビゲーション装置が提供される。これにより、任意の指定地点を中心とした周辺地点への事前の行動計画を立てやすくなる。
【０００８】
また、本発明では前記天候情報表示制御手段は前記到着時刻を基点にそれ以降の時刻の天候情報を表示することを特徴とするナビゲーション装置が提供される。これにより、ユーザは目的地やその周辺地点の天候情報の推移を知ることができ、事前の行動計画の立てやすくなる。  
【０００９】
また、本発明では前記天候情報表示制御手段は前記現在時刻を基点にそれ以降の時刻の天候情報を表示することを特徴とするナビゲーション装置が提供される。これにより、ユーザは現在地やユーザが任意に指定した地点またはそれらの周辺地点の天候情報の推移を知ることができ、事前の行動計画の立てやすくなる。
【発明の効果】
【００１０】
本発明はナビゲーション装置の機能と連動して、ユーザに対してよりサービス性の高い有用な情報提供が可能となる。
【図面の簡単な説明】
【００１１】
【図１】ナビゲーション装置の構成図
【図２】天候情報の受信及び受信した天候情報のデータを使用するタイミングチャート
【図３】天候情報データを採用する例を示す図
【図４】目的地の天候情報を含む経路案内図
【図５】目的地及び目的地周辺の天候情報を表示する図
【図６】目的地の各時間帯ごとの天候情報を表示する図
【図７】現在位置の天候情報を表示する図
【図８】現在位置及び現在位置周辺の天候情報を表示する図
【図９】任意の指定地点の天候情報を表示する図
【図１０】任意の指定地点及び任意の指定地点の周辺の天候情報を表示する図
【図１１】目的地設定のフローチャート
【図１２】天候情報受信後の天候情報アイコン表示のフローチャート
【図１３】指定地点及び指定地点周辺の天候情報を表示する処理のフローチャート
【図１４】目的地、目的地周辺及び目的地までの経路上の地点の天候情報を表示する図
【発明を実施するための形態】
【００１２】
本発明を実施するための最良の形態について、以下図面を参照しながら説明する。
[第１の実施形態]
図１は、ナビゲーション装置２の構成を示す。本実施形態のナビゲーション装置２はディスク再生部２１と、メモリーカード再生部２２と、ＴＶ受信部２３と、ラジオ受信部２４と、ディスプレイ２５と、ＧＰＳ（Ｇｌｏｂａｌ  Ｐｏｓｉｔｉｏｎｉｎｇ  Ｓｙｓｔｅｍ）情報受信部２６と、操作部２７と、通信部２８と、これらと電気的に接続される制御部２０と、を備える。
【００１３】
ディスク再生部２１は、ＣＤやＤＶＤ等の光ディスクに記録されているコンテンツを再生し、ＣＤ／ＤＶＤデッキを備える。メモリーカード再生部２２は、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）メモリーカードといったナビゲーション装置に着脱可能な移動型記憶媒体に格納されているコンテンツを再生する。
【００１４】
ＴＶ受信部２３は、ＤＴＶ（Ｄｉｇｉｔａｌ  Ｔｅｌｅｖｉｓｉｏｎ）放送やワンセグ放送等の地上波デジタルテレビジョン放送信号（以下、「放送信号」という）を受信する。放送信号には通常のテレビジョン用の信号領域以外にデータ領域を有しているため、放送局からはこのデータ領域を利用して各地の天候情報やガソリン価格情報等を含む放送信号（以下「天候情報」という）が送信される。ＴＶ受信部２３は放送信号のデータ領域に含まれる天候情報を受信する。また、このＴＶ受信部２３は「天候情報取得手段」に相当する。
【００１５】
ＴＶ受信部２３は、オーディオモードがＤＴＶ放送以外となった時は放送信号を送信している放送局にチャンネルを自動的にあわせ、天候情報を裏受信する。なお、選局した放送局が受信できない場合はネットワークフォローにて天候情報を送信している次の対象放送局を選局する。また、天候情報のデータの更新頻度は例えば３時間おきや、６時間おきのように放送局側で任意の時間に設定される。
【００１６】
ラジオ受信部２４は、ＦＭ放送、ＡＭ放送、ＶＩＣＳ(Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ)情報等を受信する。ディスプレイ２５は目的地を検索する検索手段選択画面や、地図情報と共にナビゲーション装置または車両の現在位置（以下、「現在位置」という）を表示したり、オーディオの操作に必要なアイコンやＤＴＶ画像等の情報を表示する。ＧＰＳ情報受信部２６は、ＧＰＳ情報を受信するもので、図示しないＧＰＳ用受信アンテナに接続されている。操作部２７は、ユーザの操作に応じて、操作ボタンに対応する電気信号を制御部２０へ送信するもので、ディスプレイ２５の表示画面に透明電極で形成されたタッチスイッチおよびディスプレイ２５の周囲に設けられた固定のハードスイッチからなる。また、操作部２７は、ナビゲーション装置２に一体的に設けられているが、遠隔操作を可能とするリモートコントローラであってもよく、あるいは両者を併用してもよい。通信部２８は携帯端末等の機器との通信を行なう。通信の方法は有線、無線を問わず行なわれる。なお、これまで述べた天候情報の受信、及び以下に述べる天候情報の受信は通信部２８を用いた通信による受信であってもよい。
【００１７】
さらに、以下の説明は地上デジタルテレビジョン放送信号の受信を前提に説明を行うが、放送信号はこれに限るものではなく、ユーザが天候情報を取得するための操作をおこなうことなく、予め天候情報を受信でき、ナビゲーション装置の地図情報の表示にあわせて、天候情報を受信できる通信形態であればよい。これにより、ユーザは天候情報の取得を意識せずにナビゲーション装置の操作と連携して天候情報を得ることができる。
【００１８】
制御部２０は目的地設定部３１、到着時刻予測部３２、天候情報表示制御部３３を備え、これらは各々「目的地設定手段」、「到着時刻予測手段」、「天候情報表示制御手段」に相当する。また、制御部２０はナビゲーションに関する制御の他、ディスク再生部２１やメモリーカード再生部２２によるコンテンツ情報の再生や、ＴＶ受信部２３、通信部２８、またはラジオ受信部２４による放送波の受信処理や再生処理を行う。なお、制御部２０は、ＣＰＵ（Ｃｅｎｔｒａｌ  Ｐｒｏｃｅｓｓｉｎｇ  Ｕｎｉｔ）と、メモリ等を含むコンピュータとコンピュータ上で実行されるプログラムによって実現される。
【００１９】
目的地設定部３１は、都道府県名または市町村名等の名称に基づいた検索や、目的地とする施設のジャンルによる検索、または電話番号検索等の目的地に関する項目について検索を行い、その結果表示された複数の目的地候補の中から目的地を選択して設定する。
【００２０】
到着時刻予測部３２は、現在位置から目的地への到着時刻を算出する。なお、この到着時刻予測は現在位置から目的地までの走行する一般道や高速道等の道路種別、走行する予定の道路の渋滞状況等の現在地から目的地に到着するまでの付加情報を参照して算出してもよい。
【００２１】
天候情報表示制御部３３は、操作部２７を用いてユーザが指定した地点に対してＴＶ受信部２３が受信した天候情報の表示を制御する。ユーザが指定できる地点としては、目的地、現在位置及び任意の指定地点があり、表示制御としてはいずれか選択された地点とその周囲の地点、即ち選択された地点を含む画面に表示されている地図内に存在し、天候情報が取得されている地点に関する天候情報を地図上に表示する。天候情報とは、所定の地点または所定の範囲の天気、気温、降水確率、降水量、湿度等の気象状況を表す情報をいい、また季節によっては花粉情報や桜の開花情報、積雪情報であり、その内の少なくとも１つ以上の情報であればよい。例えば、神戸市の天気または京都市の気温や降水確率等である。この天候情報は図示しない放送局から送信されており、ＴＶ受信部２３が天候情報を受信すると、制御部２０は受信したデータを図示しないメモリに追加記憶する。なお、新しいデータを記憶する場合には過去のデータに上書きしてもよい。
【００２２】
さらに、データはユーザが指定した地点の天候情報を表示する際には記憶されている最新のデータを使用し、ユーザが指定した地点に対応する時刻の天候情報を表示する。ユーザが指定した地点に対応する時刻とは、指定した地点が目的地である場合は、目的地への到着時刻であり、指定した地点が現在地、自宅またはユーザが任意に指定した地点であれば現在時刻である。
【００２３】
したがって、到着時刻や現在時刻と同一時刻の天候情報のデータが記憶されていれば、同一時刻の天候情報データを利用し、同一の時刻の天候情報のデータがない場合は、ユーザの指定した地点に対応する時刻よりも先の直近の時刻のデータを使用する。例えば、指定した地点に対応する時刻が１：００で１：００の天候情報のデータが記憶されておらず、対応するデータが１時間前の１２：００と１時間後の２：００のデータと３時間後の４時のデータが記憶されている場合は、ユーザが指定した地点に対応する時刻よりも先の直近の時刻の２：００のデータを使用する。ただし、上記同一時刻の天候情報または先の直近の時刻の天候情報データがない場合（例えば指定した地点に対応する時刻が１：００の場合に１：００の天候情報、または１：００以降のデータがない場合）は天候情報を表示しない。また、以下に詳細に説明するように、ユーザが指定した地点の天候情報は指定した地点から最も距離の近い地点の天候情報のデータを利用するが、指定した地点から最も距離の近い天候情報のデータを有する地点の距離が離れている場合（例えば８０ｋｍ以上の場合）は天候情報を表示しない。
【００２４】
放送局のデータの更新は例えば１日のうちで０：００、６：００、１２：００、１８：００の４回、６時間毎に行われる。ここで天候情報データに含まれるデータの種類の例としては、地点名称、緯度経度情報、予想天気、予想気温、予想降水量のデータである。
図２は天候情報の受信及び受信した天候情報のデータを使用するタイミングチャートである。図２を用いてデータの受信処理について説明すると、１月２３日の０：００にデータＡを受信している。このデータＡは例えば受信日を含む２日間の天候情報であって、２日間の各時間毎（例えば３時間毎）の天候の推移を示すデータである。上記目的地設定部３１により目的地を設定し、到着時刻予測部３２によりその目的地への到着時刻が２時３０分となる場合は、天候情報表示制御部３３により到着時刻の先の直近であるデータＡの１月２３日３時の天候情報データを抽出してディスプレイ２５に表示する。なお、データＡには各地点別の各時間毎のデータが含まれている。例えば、データＡには神戸市、西宮市、大阪市といった各地方都市（市、町、村）の３時間毎の天候情報が含まれており、天候情報表示制御部３３は、これらの複数の地点データのうち、目的地から最も距離の近いデータを指定地点の天候情報として採用している。
【００２５】
目的地から最も距離の近い天候情報データの採用の具体例をあげると、図３に示すように目的地をＧとした場合、この目的地Ｇを中心として半径ｒの円Ｒを描く。この円Ｒの半径ｒの長さは少なくとも天候情報を有する地点データが２つ以上含まれる長さとする。この例では地点データＰ１とＰ２が含まれている。地点データＰ３は円Ｒの外にあるため目的地Ｇに対する天候情報としては採用されない。
【００２６】
次に、Ｐ１とＰ２のＧとの距離を比較した場合Ｐ１とＧの距離ａとＰ２とＧの距離ｂがａ＜ｂの関係にあることから、円Ｒ内で目的地Gからの距離が最も近い地点データＰ１を目的地の天候情報として採用する。
【００２７】
図２に示す１月２３日の６：００にデータＢが受信されると、データＢは制御部２０内部または外部の図示しないメモリに保存される。このデータＢは前回受信したデータＡよりも情報の内容が新しいデータである。データＢを受信した後に目的地の設定が行なわれ、その到着時刻が１月２３日の１８：００の場合に、最新のデータであるデータＢを天候情報として用いる。データＢに１月２３日の１８：００のデータがあればこのデータを天候情報として採用し、１８：００のデータがない場合は先の直近のデータを天候情報として採用する。これにより最新のデータに基づいた目的地の天候情報を取得できる。
【００２８】
また、データＣの受信日時が１月２３日の２４：００であるにもかかわらずデータＣを受信できなかった場合は、データＢを最新データとして採用する。目的地の検索及び到着時刻を予測するのが１月２３日の２４：００以降の場合に目的地への到着時刻が１月２４日の３：００であれば、本来ならデータＣを天候情報として利用するが、データＣは受信できていないのでデータＢを目的地の天候情報として利用する。なお、到着時刻に対応する日時のデータがない場合は天候情報の表示を行わない。例えばデータＢは１月２５日の６：００までのデータしか有しておらず、最新の更新データであるデータＣを受信していない場合に到着時刻が１月２５日の８：００であれば天候情報は表示しない。
また、上述のように更新データを受信できない場合は受信済みのデータのうち最新のデータであるデータＢを天候情報として利用する。なお、次のデータ配信時である１月２５日の６：００にデータＤを受信すれば、このデータＤを最新のデータとして天候情報に採用する。
【００２９】
次に、図４は目的地を設定して目的地への到着時刻を予測した後に現在位置と目的地の天候情報をディスプレイ２５に表示する例である。現在位置マーク４０１はナビゲーション装置または車両の現在位置を示している。目的地の天候情報アイコン４０２は目的地の情報であることが一目でわかるように「Ｇ」マークにて表示するともに、目的地に到着する予測時刻と予測時刻の天気情報（晴れ）を表示している。なお、目的地の天候情報アイコン４０２をユーザが操作することにより別画面に遷移する。これについては以下に詳述する。
【００３０】
画面上のボタンまたはアイコンについて説明を行う。詳細ボタン４０３を操作すると、地図の縮尺を拡大表示する。表示変更ボタン４０４を操作すると、地図の切替（平面図または俯瞰表示）や周辺施設の表示設定等の画面表示形式の変更を行う。広域ボタン４０５を操作すると地図の縮尺を縮小表示する。また、時計アイコン４０６は現在時刻を表示し、方位アイコン４０７は車両が進行する方位を表示する。
【００３１】
目的地の天候情報アイコン４０２をユーザが指でタッチして選択すると、図５に示す目的地及び目的地周辺の天候情報を表示する画面をディスプレイ２５に表示する。図５の目的地アイコン５０７は目的地到着時刻の天候情報のうち天気情報（晴れ）を示している。目的地周辺の地点アイコンＡ〜Ｃ及びＸ〜Ｚ（Ａ〜Ｃ及びＸ〜Ｚは地名）は目的地周辺の地名と各地点の天候情報のうち天気情報を表示している。画面に表示される天候情報は一画面に表示可能な範囲内で、かつ目的地を含む全ての天候情報が取得されている地点の天候情報が表示される。また、ユーザの設定により目的地を中心として所定の半径距離の円内の地点の天候情報のみを表示することも可能である。なお、ここでいう地点とはある所定のポイントのみではなく、そのポイントから広がりをもった範囲も含むものである。また、目的地周辺の地点の天候情報は目的地への到着時刻と同じ時刻の天候情報である。さらに、目的地周辺とは例えば地図の縮尺を３２万分の１図で固定した場合に半径５０ｋｍ〜６０ｋｍに含まれる範囲の地点をいい、具体的には例えば神戸から奈良までの各地点の天候情報をいう。なお、この目的地周辺の地点には目的地設定後の出発地から目的地までの走行ルート上の地点以外の地点が含まれている。これにより、ユーザは目的地を中心とした周辺地点への事前の行動計画を立てやすくなる。
【００３２】
また、図５に示す時間スクロールバー５０６には画面に表示されている天候情報の日時が示されており、左右の矢印ボタンをユーザが操作することにより、画面に表示される天候情報の時間を早めたり遅くしたりできる。この時間毎のデータは以下に詳述する図６の天候情報のデータに対応している。これにより、目的地とその周辺の同時刻の天候情報を取得でき、目的地とその周辺の今後の天候の移り変わりをユーザが知ることができる。このように天候情報の移り変わりをユーザが出発地から目的地を設定する際に予め得られていれば、ユーザは行動計画を事前に立てやすくなる。
【００３３】
なお、図５に示す目的地アイコン５０７やその周辺の地点アイコンに表示されている天候情報は天気情報のみであるが、気温、降水確率、降水量、湿度等の天候情報を表示することも可能である。また、図４の天候情報アイコン４０２の選択はユーザが指で画面をタッチする以外にハードスイッチによる選択や遠隔操作を可能等するリモートコントローラによる選択であってもよく、あるいは両者を併用してもよい（以下、これを「ユーザの選択」という）。さらに、目的地周辺の地点アイコンに表示されている天候情報は目的地への到着時刻と同じ時刻の天候情報以外に、目的地到着後に目的地を新たな出発地点としてその周辺地点のいずれかを新たな目的地とした場合、新たな目的地の到着時刻に対応した天候情報としてもよい。
【００３４】
また、目的地の到着時刻を基準とした場合に、現在位置から目的地までの距離と、現在位置から目的地周辺の各地点（Ａ、Ｂ、Ｃ、Ｘ、Ｙ、Ｚ）の距離とを比較して、距離の大小に応じて目的地の到着時刻よりも遅い時刻または早い時刻の天候情報を表示してもよい。例えば、図５においてディススプレイに向かって下を南とした場合、ナビゲーション装置または車両がこの南の方向から進んできた場合に周辺地点Xは目的地Gと比較してナビゲーション装置または車両との距離が小さくなる。そのため目的地の到着時刻よりも早い時刻（例えば３０分前の時間）の天候情報を周辺地点Ｘに表示する。これによりユーザは目的地手前または目的地よりも遠方の地点において、ナビゲーション装置または車両がその付近を通過する時刻の天候情報を予め得ることができ、事前の行動計画をたてやすくなる。
【００３５】
次にユーザが指定した地点における天候情報の推移の詳細な表示について説明する。図５に示す目的地詳細ボタン５０１をユーザが選択することにより、図６に示す目的地への到着時刻を基点にそれ以降の時刻の天候情報の推移画面を表示する。この天候情報は図２のデータＢに相当する。画面には地点名（神戸）と共にその地点における所定時間毎（例えば３時間毎）の天候情報の推移が表示される。なお、情報内容はこれらに制限されるものではなく、その他のあらゆる天候情報が表示可能である。これによりユーザは目的地またはその周辺地点の天候情報の推移を知ることができ、事前の行動計画の立てやすくなる。なお、戻るボタン６０１をユーザが操作すると図５に示す画面に戻る。
【００３６】
また、図６の詳細情報画面へは目的地詳細ボタン５０７をユーザが操作することによっても遷移してもよい。また、呼出ボタン５０５を操作すると、図４に示す現在地を含む地図画面に遷移する。さらに、目的地周辺の地点のアイコンをユーザが操作することにより、各地点に対応した図６に示すような目的地への到着時刻を基点にそれ以降の時刻の天候情報の推移画面を表示してもよい。これによりユーザが目的地のみではなく各地点の目的地への到着時刻を基点にそれ以降の時刻の天候情報の推移を知ることができ、事前の行動計画を立てやすくなる。
【００３７】
図７は現在位置の天候情報を表示する図であり、目的地が設定されていない場合に表示される。基本的な構成は上述の図４の目的地の天候情報を含む経路案内地図と同じである。異なる点は図４の目的地の天候情報アイコン４０２が現在位置の天候情報アイコン７０２となったことである。この現在位置の天候情報アイコン７０２は現在地であることを示す「丸囲みの矢印」マークと現在地に対応した現在時刻の天気（晴れ）を表示する。この現在位置の天候情報アイコン７０２をユーザが指でタッチして選択すると、図８に示す現在位置及び現在位置周辺地点の天候情報を表示する画面をディスプレイ２５に表示する。この図８の画面と上述の図５の目的地及び目的地周辺地点の天候情報を表示する画面との違いは図５では目的地への到着時刻に対応した天候情報であるのに対して、図８は現在時刻に対応した天候情報であることである。また、画面に表示される天候情報は１画面に表示可能な範囲内で、かつ現在地を含む全ての天候情報が取得されている地点の天候情報が表示される。また、ユーザの設定により現在地を中心として所定の半径距離の円内の地点の天候情報のみを表示することも可能である。
【００３８】
図８の現在位置詳細ボタン５０２をユーザが操作すると図６で説明したような画面において、現在時刻を基点にそれ以降の時刻の天候情報を表示する。また、図８に示す現在位置アイコン８０７をユーザが操作することにより上記現在時刻を基点にそれ以降の時刻の天候情報を表示する詳細な天候情報画面を表示するようにしてもよい。図８の目的地詳細ボタン５０１は目的地を設定していないので、ボタンを表示する場合でもユーザが選択しても機能をはたらかせないようにしたり、ボタンを削除してもよい。また、自宅詳細ボタン５０３をユーザが選択すると、現在時刻を基点にそれ以降の時刻の自宅の天候情報推移を表示する。さらに、自宅への到着時刻を算出し、図６に示すような自宅への到着時刻を基点にそれ以降の時刻の天候情報の推移が画面に表示してもよい。また、任意指定地点詳細ボタン５０４はユーザが任意の指定地点を設定していないので、ボタンを表示する場合でもユーザが選択しても機能をはたらかせないようにしたり、ボタンを削除してもよい。
【００３９】
図９は任意の指定地点の天候情報を表示する図であり、ターゲットマーク９０１は例えばユーザがナビゲーション装置の画面を指でタッチした場合に表示される。表示されたターゲットマーク９０１はユーザがタッチした画面の位置に移動し、ターゲットマークの円内に天候情報を有する地点が入った場合に天候情報アイコン９０２として天候情報を表示する。また、ターゲットマークの円内に天候情報を有する地点がない場合でも、ターゲットマークの円内から最も距離の近い地点の天候情報が表示される。さらに、ターゲットマーク９０１の移動はユーザが画面をタッチするだけではなく、ハードスイッチや遠隔操作を可能とするリモートコントローラであってもよく、あるいは両者を併用による移動も可能である。
【００４０】
この図９に示すユーザが任意に指定した地点の画面が図４に示す目的地への到着時刻に対応した画面と異なる点は図４の現在位置マーク４０１が図９のターゲットマーク９０１となり、目的地の天候情報アイコン４０２がターゲットマーク９０１により指定された地点（以下「任意の指定地点」という）の天候情報アイコン９０２となったことである。この任意の指定地点の天候情報アイコン９０２は任意の指定地点であるであることを示すターゲットマーク９０１とこの地点に対応した現在時刻の天気情報（晴れ）を表示する。なお、ターゲットマーク９０１による天候表示は目的地設定の有無に関わらず表示する。
目的地セットボタン９０３を操作すると、ターゲットマーク９０１により指定された地点を目的地として登録し経路案内を開始する。地点登録ボタン９０４を操作すると、ターゲットマーク９０１により指定された地点を図示しないメモリに地点の緯度、経度等の地点の情報を記憶し、ユーザの操作により予め記憶した地点の情報を表示できる。
【００４１】
天候情報アイコン９０２をユーザが指でタッチして選択すると、図１０に示す任意の指定地点及びその周辺地点の天候情報を表示する画面をディスプレイ２５に表示する。この図１０の画面と上述の図５の目的地及び目的地周辺地点の天候情報を表示する画面との違いは、図５では目的地への到着時刻の天候情報であるのに対して、図１０は任意の指定地点（ターゲットマークの円内地点）に対応した現在時刻の天候情報である。また、画面に表示される天候情報は１画面に表示可能な範囲内で、かつユーザが任意に指定した地点を含む全ての天候情報が取得されている地点の天候情報が表示される。また、ユーザの設定によりユーザが任意に指定した地点を中心に所定の半径距離の円内の地点の天候情報のみを表示することも可能である。
【００４２】
図１０の任意の指定地点詳細ボタン５０４をユーザが操作すると、図６で説明したようなターゲットマークの円内の地点の現在時刻を基点にそれ以降の時刻の天候情報の推移画面が表示される。また、この天候情報推移の画面には図１０に示す任意の指定地点アイコン１００７をユーザが操作することにより遷移するようにしてもよい。図１０の目的地詳細ボタン５０１は目的地の設定を行なわないときはボタンを表示する場合でもユーザが選択しても機能をはたらかせないようにしたり、ボタンを削除してもよい。また、自宅詳細ボタン５０３をユーザが選択すると、現在時刻を基点にそれ以降の時刻の自宅の天候情報推移を表示する。さらに、自宅への到着時刻を基点にそれ以降の時刻の天候情報の推移が画面に表示してもよい。
【００４３】
次にこれまで説明した天候情報表示制御の動作についてフローチャートを用いて説明する。目的地設定による目的地予測時刻の天候情報を表示する処理フローチャートを図１１に示す。これは、天候情報を表示する場合に目的地を設定する必要がある際の処理であり、目的地の設定を必要としない場合はこの処理は行われない。
【００４４】
最初にナビゲーション装置による目的地の検索を実施するか否かを決定する（ステップＳ１１０１）。目的地検索を実施する場合（ステップＳ１１０１がＹｅｓ）は目的地の検索を住所地等の目的地と関連する情報を用いて行なう（ステップＳ１１０２）。この目的地の検索により目的地候補がディスプレイ２５に表示される。なお、目的地検索を行わない場合（ステップＳ１１０１がＮｏ）は、目的地を検索する画面をそのまま表示させたり、所定時間経過後に現在位置を含む地図表示画面に戻る。そして、目的地候補のなかで目的地として設定する項目があれば、ユーザがその項目を選択する（ステップＳ１１０３がＹｅｓ）。ユーザが目的地候補のいずれかの項目を選択しなければ、目的地候補の画面がそのまま表示されたり、所定時間経過後にナビゲーション装置または車両の現在位置を含む地図表示画面に戻る（ステップＳ１１０３がＮｏ）。
【００４５】
ユーザが目的地候補の中から目的地の項目を選択すると、目的地が設定され（ステップＳ１１０４）、現在地から目的地までの到着時刻を制御部２０の到着時刻予測手段により算出する（ステップＳ１１０５）。そして、ディスプレイ２５上に表示される図示しない案内開始ボタンを操作すると（ステップＳ１１０６がＹｅｓ）、制御部２０は現在位置から目的地までの経路案内を開始する（ステップＳ１１０７）。案内開始ボタンを操作しない場合は（ステップＳ１１０６がＮｏ）、案内開始ボタンを表示した画面がそのまま表示されたり、所定時間経過後に現在位置を含む地図表示画面に戻る。
【００４６】
次にナビゲーション装置２がＴＶ受信部２３によって天候情報を受信し、ナビゲーション装置２の機能と連携して天候情報を表示する動作について図１２により説明する。
【００４７】
ナビゲーション装置２の制御部２０がＴＶ受信部２３により天候情報を受信した場合（ステップＳ１２０１がＹｅｓ）、図示しないメモリに天候情報を記憶する（ステップＳ１２０２）天候情報を受信していない場合（ステップＳ１２０１がＮｏ）は制御部２０は繰り返し受信を行ったり、所定時間経過後に再度受信を行う。目的地が設定されている場合（ステップＳ１２０３がＹｅｓ）は、予めメモリに記憶された天候情報の中から目的地の到着時刻に対応した天候情報を取得する（ステップＳ１２０４）。その結果、図４に示す目的地の天候情報アイコン４０２を画面に表示する（ステップＳ１２０５）。なお、目的地の設定が行われていない場合（ステップＳ１２０３がＮｏ）は、制御部２０はユーザによって任意の地点が指定されたか否か、即ちユーザがナビゲーション装置の画面を指でタッチしてターゲットマーク９０１が表示されたか否かを判断する（ステップＳ１２０６）。任意の地点が指定されていなければ（ステップＳ１２０６がＮｏ）、予めメモリに記憶された天候情報の中から現在位置の現在時刻に対応した天候情報を取得する（ステップＳ１２０７）。その結果、現在地の天候情報アイコン７０２を画面に表示する（ステップＳ１２０８）。任意の地点が指定されていれば（ステップＳ１２０６がＹｅｓ）、ターゲットマークにより指定された地点の天候情報を予めメモリに記憶された天候情報の中から取得する（ステップＳ１２０９）。その結果、ターゲットマークにより指定された任意の指定地点の天候情報アイコン９０２を表示する（ステップＳ１２１０）。
【００４８】
次に、指定地点（目的地、現在地、またはユーザの任意の指定地点）及び指定地点周辺の天候情報表示の制御処理について図１３のフローチャートを用いて説明する。
【００４９】
上述のとおりナビゲーション装置の画面には状況に応じて指定地点に対応した図４、図７、または図９に示す天候情報アイコン４０２、７０２、または９０２が表示される。これらの天候情報アイコンをユーザが操作した場合（ステップＳ１３０１がＹｅｓ）、天候情報アイコンの種類（４０２、７０２、または９０２）に応じて、図５、図８、または図１０に示されるように指定地点（例えば図５に示す目的地Ｇ）、及び指定地点の周辺（例えば図５に示す目的地の周辺地点Ａ、Ｂ、Ｃ、Ｘ、Ｙ、Ｚ）の天候情報が表示され（ステップＳ１３０２）、ステップＳ１３０３に移る。なお、天候情報アイコンをユーザが操作しない場合（ステップＳ１３０１がＮｏ）は、図４、図７、または図９に示す天候情報アイコンを含む経路案内図が表示されたままとなる。
【００５０】
ステップＳ１３０２において図５、図８、または図１０に示す指定地点およびその周辺地点が表示された状態で目的地詳細ボタン５０１を操作するか、図５に示す目的地アイコン５０７を操作する（ステップＳ１３０３がＹｅｓ）と、図６に示す目的地の各時間帯ごとの天候情報画面が表示される（ステップＳ１３０４）。なお、目的地詳細ボタン５０１を操作しない場合（ステップ１３０３がＮｏ）は、ステップＳ１３０５に移る。このように目的地への到着時刻に応じた天候情報を含む目的地周辺の天候情報または目的地周辺の天候情報の推移をユーザに提供することで、目的地を予め定めているユーザがその目的地や目的地周辺への行動を予め調整でき、目的地を中心とした行動計画を立てやすくなる。
【００５１】
ステップＳ１３０２において図５、図８、または図１０に示す指定地点およびその周辺地点が表示された状態で、現在地詳細ボタン５０２を操作するか、現在地及び現在地周辺の天候情報が表示された状態で、図８に示す現在位置アイコン８０７を操作する（ステップ１３０５がＹｅｓ）と、図６に示すような現在位置の現在時刻を基点にそれ以降の時刻の天候情報が画面に表示される（ステップＳ１３０６）。なお、現在地詳細ボタン５０２を操作しない場合（ステップ１３０５がＮｏ）は、ステップＳ１３０７に移る。これにより、ユーザは現在位置とその周辺地点の現在時刻を基点とした天候の推移を知ることができ、現在位置を中心とした行動計画が立てやすくなる。
【００５２】
ステップＳ１３０２において図５、図８、または図１０に示す指定地点およびその周辺地点が表示された状態で、自宅詳細ボタン５０３を操作する（ステップＳ１３０７がＹｅｓ）と、図６に示すような自宅の現在時刻を基点にそれ以降の時刻の天候情報が画面に表示される（ステップＳ１３０８）。また、自宅詳細ボタン５０３を操作しない場合（ステップ１３０７がＮｏ）は、ステップＳ１３０９に移る。これにより、ユーザは自宅の現在時刻を基点とした天候の推移を知ることができ、天候情報に基づいた自宅への到着時刻の調整が可能となる。
【００５３】
ステップＳ１３０２において図５、図８、または図１０に示す指定地点およびその周辺地点が表示された状態で、任意の指定地点詳細ボタン５０４を操作するか、図１０に示す任意の地点及びその周辺地点の天候情報が表示された状態で任意の指定地点アイコン１００７を操作する（ステップＳ１３０９がＹｅｓ）と、図６に示すようなユーザが選択する任意の地点の現在時刻を基点にそれ以降の時刻の天候情報が画面に表示される（ステップＳ１３１０）。これにより、ユーザは任意の指定地点とその周辺の現在時刻を基点とした天候の推移を知ることができ、任意の指定地点を中心とした行動計画がたてやすくなる。
【００５４】
なお、任意の指定地点詳細ボタン５０４を操作しない場合（ステップ１３０９がＮｏ）は、ステップＳ１３０２による指定地点及び指定地点周辺の天候情報をそのまま表示する。ただし、ステップＳ１３０２による表示をした後、ステップＳ１３０３〜ステップＳ１３０９によるいずれのボタンも操作されずに所定時間が経過すると、ナビゲーション装置または車両の現在位置を含む地図表示画面に戻る。  
［第２の実施形態］
次に第２の実施形態について説明する。第２の実施形態では図５に示す目的地及び目的地周辺の天候情報を表示する図と基本的な構成は同じである。異なる部分は目的地までの経路上に天候情報アイコン１〜３が配置されていることである。この経路上に配置されている天候情報アイコン１〜３は、目的地アイコン５０７以外のその周辺アイコン（Ａ、Ｂ、Ｃ、Ｘ、Ｙ、Ｚ）を第１の天候情報群とすると、第２の天候情報群となる。このように目的地アイコン５０７と第１の天候情報群に加えて第２の天候情報群をナビゲーション装置の画面に表示することにより、ユーザは目的地到着前に通過する地点の天候情報も知ることができ、移動にともなう行動計画を立てやすくなる。
【符号の説明】
【００５５】
２        ナビゲーション装置
２１      ディスク再生部
２２      メモリーカード再生部
２３      TV受信部
２４      ラジオ受信部
２５      ディスプレイ
２６      GPS情報受信部
２７      操作部
２８      通信部
３１      目的地設定部
３２      到着時刻予測部
３３      天候情報表示制御部
４０１    現在位置マーク
４０２    目的地の天候情報アイコン
４０３    詳細ボタン
４０４    表示変更ボタン
４０５    広域ボタン
４０６    時計アイコン
４０７    方位アイコン
５０１    目的地詳細ボタン
５０２    現在位置詳細ボタン
５０３    自宅詳細ボタン
５０４    任意の指定地点詳細ボタン
５０５    呼出ボタン
５０６    時間スクロールバー
５０７    目的地アイコン
６０１    戻るボタン
７０２    現在位置の天候情報アイコン
８０７    現在位置アイコン
９０１    ターゲットマーク
９０２    任意の指定地点の天候情報アイコン
９０３    目的地設定ボタン
９０４    地点登録ボタン
１００７  任意の指定地点アイコン
【図１】
2010230638.tif 000003
【図２】
2010230638.tif 000004
【図３】
2010230638.tif 000005
【図４】
2010230638.tif 000006
【図５】
2010230638.tif 000007
【図６】
2010230638.tif 000008
【図７】
2010230638.tif 000009
【図８】
2010230638.tif 000010
【図９】
2010230638.tif 000011
【図１０】
2010230638.tif 000012
【図１１】
2010230638.tif 000013
【図１２】
2010230638.tif 000014
【図１３】
2010230638.tif 000015
【図１４】
2010230638.tif 000016